(57)【要約】      （修正有）【課題】回路基板と電子素子に応用されるフローティングガイドコネクターを提供する。【解決手段】フローティングガイドコネクターは、メスソケット１２とオスプラグとを備え、メスソケットは、第１の筐体１２２と第３の筐体１２４との接合によって、第１の電極１２８の一部を設置して回路基板に接続できる。第１の筐体は、ガイド面ＧＳを有する。第１の筐体は、第１の破口のソケット端１２１０を更に有する。オスプラグは、第２の筐体によりスライド面を有する収容空間を形成する。第２の筐体は、第２の破口のプラグ端を有する。第２の電極が第２の破口に設けられて、電子素子に接続する。また、スライド面はガイド面に対応し、及びソケット端はプラグ端に対応して設けられる。収容空間はメスソケットのソケット端を覆うように、ガイド面がスライド面に沿って滑り込まれ、且つ収容空間においてプラグ端をソケット端に挿入させて、第１の電極が第２の電極に電気的に接続される。【選択図】図２
0003228000.tif 000002
【実用新案登録請求の範囲】
【請求項１】
回路基板と電子素子に応用されるフローティングガイドコネクターであって、
第１の筐体と、第３の筐体と、第１の電極とを含むメスソケットと、
第２の筐体と、第２の電極とを含むオスプラグと、
を備え、
前記第１の電極の一部を設置して前記回路基板に接続するように、前記第１の筐体は前記第３の筐体と接合し、前記第１の筐体は、ガイド面を有し、前記第１の筐体は、第１の破口のソケット端を更に有し、
前記第２の筐体には、スライド面を有する収容空間が形成され、前記第２の筐体は、第２の破口のプラグ端を有し、前記第２の電極が前記第２の破口に設けられて、前記第２の電極の一部を前記収容空間に配置し、前記第２の電極の別の部分を前記電子素子に接続し、
前記スライド面は前記ガイド面に対応し、及び前記ソケット端は前記プラグ端に対応して設けられ、
前記収容空間は前記メスソケットの前記ソケット端を覆うように、前記ガイド面が前記スライド面に沿って滑り込まれ、且つ前記収容空間において前記プラグ端を前記ソケット端に挿入させて、前記第１の電極が前記第２の電極に電気的に接続されることを特徴とするフローティングガイドコネクター。
【請求項２】
前記第１の筐体は、錐体であり、
前記収容空間は、内錐体であることを特徴とする請求項１に記載のフローティングガイドコネクター。
【請求項３】
前記第３の筐体の対角線に配置されたはんだ付け部を更に備えることを特徴とする請求項１に記載のフローティングガイドコネクター。
【請求項４】
前記第３の筐体は、溝体を含み、
前記第１の筐体は、留め具を更に含み、
前記留め具は、前記溝体と接合して回転することで、前記第１の筐体を前記第３の筐体に固定することを特徴とする請求項１に記載のフローティングガイドコネクター。
【請求項５】
前記メスソケットの高さの範囲は、５ｍｍ〜２０ｍｍであることを特徴とする請求項１に記載のフローティングガイドコネクター。
【請求項６】
前記第２の筐体を前記回路基板に固定するために、前記オスプラグは、前記回路基板に設けられる挟持部材を更に含むことを特徴とする請求項１に記載のフローティングガイドコネクター。
【請求項７】
前記第２の筐体を前記回路基板に位置きめするために、前記オスプラグは、前記回路基板に設けられる位置きめブロックを更に含むことを特徴とする請求項１に記載のフローティングガイドコネクター。
【請求項８】
前記プラグ端が、前記第２の筐体の中央部分に形成され、
前記ソケット端が、前記第１の筐体の中央部分に形成されることを特徴とする請求項１に記載のフローティングガイドコネクター。
【請求項９】
前記第１の筐体の外周縁は、前記第２の筐体の内周縁以下であることを特徴とする請求項１に記載のフローティングガイドコネクター。
【請求項１０】
前記収容空間にある前記第２の電極は、外部からのワイヤを挟持するための挟持構造を提供することを特徴とする請求項１に記載のフローティングガイドコネクター。
【考案の詳細な説明】
【技術分野】
【０００１】
本考案は、コネクタの技術分野に関わり、特に大きなガイド角及びフローティング構造を持つフローティングガイドコネクターに関するものである。
【背景技術】
【０００２】
従来の回路基板は、オスプラグとメスソケットを接続する場合、回路基板が視線を遮る可能性があり、ブラインド挿入のように直接スムーズに接続することができない。
【考案の概要】
【考案が解決しようとする課題】
【０００３】
ブラインド挿入は、挿入の過程で正確に位置合わせできないにより、オスプラグとメスソケットの破損、ひいては回路基板の破損を引き起こす可能性がある。
【０００４】
以上の問題に対して、本考案は、従来の技術における欠陥を解決するためのフローティングガイドコネクターを提供する。
【課題を解決するための手段】
【０００５】
本考案の第一の目的は、回路基板と電子素子に応用して、回路基板と電子素子をブラインド連結できるフローティングガイドコネクターを提供する。
【０００６】
本考案の第二の目的は、上記のフローティングガイドコネクターにより、大きな角度のガイド接合を許容して、ある範囲でスムーズにオスプラグとメスソケットを接合することができる。
【０００７】
本考案の第三の目的は、上記のフローティングガイドコネクターにより、オスプラグは、異なる高さ（例えば、１２．５ｍｍ、１５ｍｍ）のメスソケットに接合することができる。
【０００８】
本考案の第四の目的は、上記のフローティングガイドコネクターにより、オスプラグとメスソケットの電極を電気的に接続するために、メスソケットの錐体がオスプラグの内錐体の収容空間に挿入される。
【０００９】
本考案の第五の目的は、上記のフローティングガイドコネクターにより、フローティング接続を達成するために、メスソケットは、第１の筐体と第３の筐体との接合により形成され、第１の筐体が第３の筐体から離脱することなく一定の範囲で回転できる。
【００１０】
本考案の第六の目的は、上記のフローティングガイドコネクターにより、メスソケットは、はんだ付け部材によって回路基板に固定される。
【００１１】
以上の目的及び他の目的を達成するために、本考案は、メスソケットとオスプラグとを備え、回路基板と電子素子に応用されるフローティングガイドコネクターを提供する。メスソケットは、第１の筐体と、第３の筐体と、第１の電極とを含む。第１の電極の一部を設置して回路基板に接続できるように、第１の筐体は第３の筐体と接合する。第１の筐体は、ガイド面を有する。第１の筐体は、第１の破口のソケット端を更に有する。オスプラグは、第２の筐体と、第２の電極とを含む。第２の筐体には、スライド面を有する収容空間が形成される。第２の筐体は、第２の破口のプラグ端を有する。第２の電極が第２の破口に設けられて、第２の電極の一部を収容空間に配置し、第２の電極の別の部分を電子素子に接続できる。また、スライド面はガイド面に対応し、及びソケット端はプラグ端に対応して設けられる。収容空間はメスソケットのソケット端を覆うように、ガイド面がスライド面に沿って滑り込まれ、且つ収容空間においてプラグ端をソケット端に挿入させて、第１の電極が第２の電極に電気的に接続される。
【００１２】
従来の技術と比較して、本考案のフローティングガイドコネクターが提供する大きなガイド角及びフローティングの設計は、正確な位置合わせを必要とせずに、オスプラグとメスソケットをある許容される変位量で接続できる。
【図面の簡単な説明】
【００１３】
【図１】図１は本考案の実施例にかかるフローティングガイドコネクターの斜視図である。
【図２】図２は本考案の図１にかかるメスソケットの第１の斜視図である。
【図３】図３は本考案の図１にかかるメスソケットの第２の斜視図である。
【図４】図４は本考案の図１にかかるメスソケットの上面図及び下面図である。
【図５】図５は本考案の図１にかかるメスソケットが回路基板に接続されることを示す図である。
【図６】図６は本考案の図１にかかるオスプラグの斜視図である。
【図７】図７は本考案の図１にかかるオスプラグの上面図及び下面図である。
【図８】図８は本考案の図７にかかる別の実施図である。
【図９】図９は図１にかかるフローティングガイドコネクターが回路基板と電子素子を接続する図である。
【考案を実施するための形態】
【００１４】
本考案の目的、特徴及び効果を十分に理解するために、後述の実施例及び図面に基づいて、本考案を説明する。
【００１５】
本考案において、「１つ」を使用して本明細書に記載されるユニット、デバイスを説明する。特に指摘しない限り、このような説明は、１つ、少なくとも１つを含むと理解され、かつ単数も同時に複数を含む。
【００１６】
本考案において、「含む」、「備える」、「有する」の用語又は他の類似用語は、非排他的なものをカバーすることを意図している。例えば、複数の要素を含むデバイス、構造、製品又は装置は、本明細書に記載された要素だけに限定されず。
【００１７】
図１は本考案の実施例にかかるフローティングガイドコネクターの斜視図である。図１では、フローティングガイドコネクター１０は、メスソケット１２とオスプラグ１４とを備える。メスソケット１２でオスプラグ１４をセットすることにより、メスソケット１２をオスプラグ１４と接続させ、更にメスソケット１２の第１の電極１２８をオスプラグ１４の第２の電極１４４に電気的に接続する。分離されたメスソケット１２は、その先端の錐形構造によってオスプラグ１４の収容空間ＳＰに滑り込まれて接合する。接合の過程で、メスソケット１２は、オスプラグ１４に正確に位置合わせしなくても、滑り込み及び回転の方式により接合できる。
【００１８】
更に、図９も参照してもよい、図９は図１にかかるフローティングガイドコネクターが回路基板と電子素子を接続する図である。フローティングガイドコネクター１０は、回路基板２と電子素子に応用される。本実施例では、電子素子は、ハウジング８２と、ケーブル８４と、ファン８６とを含み、ファン８６は、ケーブル８４に接続され、ハウジング８２に配置される。他の実施例では、ファン８６は、ディスプレイカード、インターフェースカードなどの他の装置に置き換えてもよい、他の回路基板に置き換えてもよい。
【００１９】
図２も一緒に参照し、図２は本考案の図１にかかるメスソケットの第１の斜視図である。図２では、メスソケット１２は、第１の筐体１２２と、第３の筐体１２４と、第１の電極１２８とを含む。別の実施例では、メスソケット１２は、第３の筐体１２４の対角線に配置されたはんだ付け部材１２６を更に含んでもよい。
【００２０】
図２では、第１の筐体１２２には、第１の破口１２１２とガイド面ＧＳとが形成される。第１の筐体１２２は、ソケット端１２１０を有する。本実施例では、ソケット端１２１０は、２つの矩形の第１の破口１２１２を含む例に説明する。ガイド面ＧＳは後述のオスプラグ１４のスライド面ＳＳに対応し、及びソケット端１２１０は後述のオスプラグ１４のプラグ端１４６対応して設けられる。本実施例では、ガイド面ＧＳは、第１の筐体１２２が錐体になるように、傾斜変化を有する。本実施例では、ソケット端１２１０は第１の筐体１２２の中央部分に形成される。
【００２１】
図３も一緒に参照し、図３は本考案の図１にかかるメスソケットの第２の斜視図である。第３の筐体１２４は、溝体１２４２を更に含み、第１の筐体１２２は、留め具１２２２を更に含む。また、溝体１２４２は、対角に配置され、その対角の距離は、留め具１２２２の末端の両端の距離以上である。第３の筐体１２４の留め具１２２２が溝体１２４２に入ると、反時計回り方向に９０度などの角度を回転することで、留め具１２２２が第３の筐体１２４の溝１２４４にロックされる。反時計回り方向は、第３の筐体１２４の溝体１２４２と溝１２４４の設計（例えば、別の対角線方向に設計する）により時計回り方向の回転に変更されてもよい。
【００２２】
メスソケット１２の上面図は図４の下図を参照してもよい、メスソケット１２の下面図は図４の上図を参照してもよい。
【００２３】
図５も一緒に参照してもよい、図５は本考案の図１にかかるメスソケットが回路基板に接続されることを示す図である。メスソケット１２が回路基板２に接合される過程で、メスソケット１２の第３の筐体１２４は事前に回路基板２に配置してもよい、又は第３の筐体１２４ははんだ付け部材１２６を介して回路基板２に半田付けしてもよい。第３の筐体１２４が回路基板２に固定された後に、更に第３の筐体１２４と第１の筐体１２２を接合する。
【００２４】
図６を参考し、図６は本考案の図１にかかるオスプラグの斜視図である。
【００２５】
オスプラグ１４は、第２の筐体１４２及び第２の電極１４４を含む。
【００２６】
第２の筐体１４２には、スライド面ＳＳを有する収容空間ＳＰが形成される。第２の筐体１４２は、第２の破口１４６２のソケット端１４６を更に有する。
【００２７】
第２の電極１４４の一部が収容空間ＳＰに設けられ、及び第２の電極１４４の別の部分が電子素子に接続できるように、第２の電極１４４を第２の破口１４６２に配置する。
【００２８】
第１の筐体１２２の外周縁は、第２の筐体１４２の内周縁以下であるため、ガイド面ＧＳがスライド面ＳＳに沿って滑り込まれて、オスプラグ１４の収容空間ＳＰはメスソケット１２のソケット端１２１０を覆い、且つ収容空間ＳＰにおいてプラグ端１４６をソケット端１２１０に挿入させて、第２の電極１４４が第１の電極１２８に電気的に接続され、更に収容空間ＳＰにおいてプラグ端１４６をソケット端１２１０に挿入させて、第１の電極１２８が第２の電極１４２に電気的に接続される。
【００２９】
本実施例では、第２の電極１４４は、挟持構造を提供する。例えば、折り曲げ可能な鉄シートで図９のケーブル８４における金属ワイヤを挟持する。
【００３０】
オスプラグ１４の上面図は図７の下図を参照してもよい、オスプラグ１４の下面図は図７の上図を参照してもよい。
【００３１】
図８を一緒に参考し、図８は本考案の図７にかかる別の実施図である。図８には、前述の実施例の第２の筐体１４２と第２の電極１４４に加えて、挟持部材６と位置きめブロック４が更に含まれる。
【００３２】
第２の筐体１４２と第２の電極１４４の説明は前述のように、ここで説明しない。
【００３３】
オスプラグ１４をハウジング８２に固定するために、挟持部材６は、一端が図９のハウジング８２に設けられ、他端が収容空間ＳＰにロックされてもよい。本実施例では、挟持部材６は２つの弾性部材を例に説明する。弾性部材が収容空間ＳＰに挿入された後に、収容空間ＳＰの内部にある内壁がその弾性部材の弾力により押圧されて、第２の筐体１４２を挟持する。
【００３４】
位置きめブロック４が図９のハウジング８２に設けられる。位置きめブロック４の材質は、弾性体又は任意の材質であってもよい。位置きめブロック４は、接合領域を形成し、当該接合領域の内周縁は、第２の筐体１４２の外周縁より略大きい又は同じ大きさであり、このため、第２の筐体１４２が筐体２０に設けられる場合に、位置きめブロック４の囲むにより形成された接合領域に配置できる。
【００３５】
オスプラグ１４は、異なる高さのメスソケット１２を受け入れることができる。例えば、メスソケット１２の高さの範囲は、５ｍｍ〜２０ｍｍであってもよい。
【００３６】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００３７】
２…回路基板
４…位置きめブロック
６…挟持部材
８２…ハウジング
８４…ケーブル
８６…ファン
１０…フローティングガイドコネクター
１２…メスソケット
１２２…第１の筐体
１２２２…留め具
１２４…第３の筐体
１２４２…溝体
１２４４…溝
１２６…はんだ付け部材
１２８…第１の電極
１２１０…ソケット端
１２１２…第１の破口
１４…オスプラグ
１４２…第２の筐体
１４４…第２の電極
１４６…プラグ端
１４６２…第２の破口
ＳＰ…収容空間
ＧＳ…ガイド面
ＳＳ…スライド面
【図１】
0003228000.tif 000003
【図２】
0003228000.tif 000004
【図３】
0003228000.tif 000005
【図４】
0003228000.tif 000006
【図５】
0003228000.tif 000007
【図６】
0003228000.tif 000008
【図７】
0003228000.tif 000009
【図８】
0003228000.tif 000010
【図９】
0003228000.tif 000011